【手続補正書】
【提出日】平成29年3月24日(2017.3.24)
【手続補正１】
【補正対象書類名】特許請求の範囲
【補正対象項目名】全文
【補正方法】変更
【補正の内容】
【特許請求の範囲】
【請求項１】
ＩＰＰ（Ｉｎｔｅｒｎｅｔ  Ｐｒｉｎｔｉｎｇ  Ｐｒｏｔｏｃｏｌ）を使用する第１の印刷機能と、ＩＰＰを使用する第２の印刷機能とを有する印刷装置であって、
ユーザ指示によって前記第１の印刷機能の設定がＯＦＦからＯＮに変更されたことに連動して、少なくとも前記ＩＰＰの設定をＯＦＦからＯＮに自動的に変更する第１の変更手段と、
ユーザ指示によって前記第２の印刷機能の設定がＯＦＦからＯＮに変更されたことに連動して、少なくとも前記ＩＰＰの設定をＯＦＦからＯＮに自動的に変更する第２の変更手段とを備えることを特徴とする印刷装置。
【請求項２】
ユーザ指示によって前記第１の印刷機能の設定がＯＮからＯＦＦに変更されても、前記ＩＰＰの設定はＯＮのまま維持され、
ユーザ指示によって前記第２の印刷機能の設定がＯＮからＯＦＦに変更されても、前記ＩＰＰの設定はＯＮのまま維持されることを特徴とする請求項１に記載の印刷装置。
【請求項３】
前記第１の印刷機能及び前記第２の印刷機能は、前記ＩＰＰに加えてｍＤＮＳ（ＭｕｌｔｉｃａｓｔＤＮＳ）を使用する機能であり、
前記第１の変更手段は、前記ＩＰＰの設定に加えて、前記ｍＤＮＳの設定をＯＦＦからＯＮに自動的に変更し、
前記第２の変更手段は、前記ＩＰＰの設定に加えて、前記ｍＤＮＳの設定をＯＦＦからＯＮに自動的に変更することを特徴とする請求項１に記載の印刷装置。
【請求項４】
ユーザ指示によって前記第１の印刷機能の設定がＯＮからＯＦＦに変更されても、前記ＩＰＰの設定と前記ｍＤＮＳの設定は両方ともＯＮのまま維持され、
ユーザ指示によって前記第２の印刷機能の設定がＯＮからＯＦＦに変更されても、前記ＩＰＰの設定と前記ｍＤＮＳの設定は両方ともＯＮのまま維持されることを特徴とする請求項３に記載の印刷装置。
【請求項５】
前記第１の印刷機能及び前記第２の印刷機能は、前記ＩＰＰに加えてＨＴＴＰを使用する機能であり、
前記第１の変更手段は、前記ＩＰＰの設定に加えて、前記ＨＴＴＰの設定をＯＦＦからＯＮに自動的に変更し、
前記第２の変更手段は、前記ＩＰＰの設定に加えて、前記ＨＴＴＰの設定をＯＦＦからＯＮに自動的に変更することを特徴とする請求項１に記載の印刷装置。
【請求項６】
ユーザ指示によって前記第１の印刷機能の設定がＯＮからＯＦＦに変更されても、前記ＩＰＰの設定と前記ＨＴＴＰの設定は両方ともＯＮのまま維持され、
ユーザ指示によって前記第２の印刷機能の設定がＯＮからＯＦＦに変更されても、前記ＩＰＰの設定と前記ＨＴＴＰの設定は両方ともＯＮのまま維持されることを特徴とする請求項５に記載の印刷装置。
【請求項７】
前記第１の印刷機能及び前記第２の印刷機能は、前記ＩＰＰに加えてｍＤＮＳとＨＴＴＰを使用する機能であり、
前記第１の変更手段は、前記ＩＰＰの設定に加えて、前記ｍＤＮＳの設定とＨＴＴＰの設定を両方ともＯＦＦからＯＮに自動的に変更し、
前記第２の変更手段は、前記ＩＰＰの設定に加えて、前記ｍＤＮＳの設定と前記ＨＴＴＰの設定を両方ともＯＦＦからＯＮに自動的に変更することを特徴とする請求項１に記載の印刷装置。
【請求項８】
ユーザ指示によって前記第１の印刷機能の設定がＯＮからＯＦＦに変更されても、前記ＩＰＰの設定と前記ｍＤＮＳの設定と前記ＨＴＴＰの設定はすべてＯＮのまま維持され、
ユーザ指示によって前記第２の印刷機能の設定がＯＮからＯＦＦに変更されても、前記ＩＰＰの設定と前記ｍＤＮＳの設定と前記ＨＴＴＰの設定はすべてＯＮのまま維持されることを特徴とする請求項７に記載の印刷装置。
【請求項９】
ＩＰＰ（Ｉｎｔｅｒｎｅｔ  Ｐｒｉｎｔｉｎｇ  Ｐｒｏｔｏｃｏｌ）を使用する第１の印刷機能と、ＩＰＰを使用する第２の印刷機能とを有する印刷装置の設定を変更する設定方法であって、
ユーザ指示によって前記第１の印刷機能の設定がＯＦＦからＯＮに変更されたことに連動して、少なくとも前記ＩＰＰの設定をＯＦＦからＯＮに自動的に変更する第１の変更ステップと、
ユーザ指示によって前記第２の印刷機能の設定がＯＦＦからＯＮに変更されたことに連動して、少なくとも前記ＩＰＰの設定をＯＦＦからＯＮに自動的に変更する第２の変更ステップとを有することを特徴とする設定方法。
【請求項１０】
ユーザ指示によって前記第１の印刷機能の設定がＯＮからＯＦＦに変更されても、前記ＩＰＰの設定はＯＮのまま維持され、
ユーザ指示によって前記第２の印刷機能の設定がＯＮからＯＦＦに変更されても、前記ＩＰＰの設定はＯＮのまま維持されることを特徴とする請求項９に記載の設定方法。
【請求項１１】
前記第１の印刷機能及び前記第２の印刷機能は、前記ＩＰＰに加えてｍＤＮＳ（ＭｕｌｔｉｃａｓｔＤＮＳ）を使用する機能であり、
前記第１の変更ステップにおいて、前記ＩＰＰの設定に加えて、前記ｍＤＮＳの設定がＯＦＦからＯＮに自動的に変更され、
前記第２の変更ステップにおいて、前記ＩＰＰの設定に加えて、前記ｍＤＮＳの設定がＯＦＦからＯＮに自動的に変更されることを特徴とする請求項９に記載の設定方法。
【請求項１２】
ユーザ指示によって前記第１の印刷機能の設定がＯＮからＯＦＦに変更されても、前記ＩＰＰの設定と前記ｍＤＮＳの設定は両方ともＯＮのまま維持され、
ユーザ指示によって前記第２の印刷機能の設定がＯＮからＯＦＦに変更されても、前記ＩＰＰの設定と前記ｍＤＮＳの設定は両方ともＯＮのまま維持されることを特徴とする請求項１１に記載の設定方法。
【請求項１３】
前記第１の印刷機能及び前記第２の印刷機能は、前記ＩＰＰに加えてＨＴＴＰを使用する機能であり、
前記第１の変更ステップにおいて、前記ＩＰＰの設定に加えて、前記ＨＴＴＰの設定がＯＦＦからＯＮに自動的に変更され、
前記第２の変更ステップにおいて、前記ＩＰＰの設定に加えて、前記ＨＴＴＰの設定がＯＦＦからＯＮに自動的に変更されることを特徴とする請求項９に記載の設定方法。
【請求項１４】
ユーザ指示によって前記第１の印刷機能の設定がＯＮからＯＦＦに変更されても、前記ＩＰＰの設定と前記ＨＴＴＰの設定は両方ともＯＮのまま維持され、
ユーザ指示によって前記第２の印刷機能の設定がＯＮからＯＦＦに変更されても、前記ＩＰＰの設定と前記ＨＴＴＰの設定は両方ともＯＮのまま維持されることを特徴とする請求項１３に記載の設定方法。
【請求項１５】
前記第１の印刷機能及び前記第２の印刷機能は、前記ＩＰＰに加えてｍＤＮＳとＨＴＴＰを使用する機能であり、
前記第１の変更ステップにおいて、前記ＩＰＰの設定に加えて、前記ｍＤＮＳの設定と前記ＨＴＴＰの設定が両方ともＯＦＦからＯＮに自動的に変更され、
前記第２の変更ステップにおいて、前記ＩＰＰの設定に加えて、ｍＤＮＳの設定とＨＴＴＰの設定が両方ともＯＦＦからＯＮに自動的に変更されることを特徴とする請求項９に記載の設定方法。
【請求項１６】
ユーザ指示によって前記第１の印刷機能の設定がＯＮからＯＦＦに変更されても、前記ＩＰＰの設定と前記ｍＤＮＳの設定と前記ＨＴＴＰの設定はすべてＯＮのまま維持され、
ユーザ指示によって前記第２の印刷機能の設定がＯＮからＯＦＦに変更されても、前記ＩＰＰの設定と前記ｍＤＮＳの設定と前記ＨＴＴＰの設定はすべてＯＮのまま維持されることを特徴とする請求項１５に記載の設定方法。
【請求項１７】
請求項９乃至１６のいずれか１項に記載の設定方法をコンピュータに実行させるためのプログラム。
【手続補正２】
【補正対象書類名】明細書
【補正対象項目名】発明の名称
【補正方法】変更
【補正の内容】
【発明の名称】印刷装置、設定方法及びプログラム
【手続補正３】
【補正対象書類名】明細書
【補正対象項目名】０００４
【補正方法】変更
【補正の内容】
【０００４】
ユーザが、ＩＰＰの設定と、ＩＰＰを使用する印刷機能の設定とをそれぞれ個別にＯＦＦからＯＮに変更すると、ユーザの手間が増加する。
【手続補正４】
【補正対象書類名】明細書
【補正対象項目名】０００５
【補正方法】削除
【補正の内容】
【手続補正５】
【補正対象書類名】明細書
【補正対象項目名】０００６
【補正方法】変更
【補正の内容】
【０００６】
上述した課題を解決するために、本発明が提供する印刷装置は、ＩＰＰ（Ｉｎｔｅｒｎｅｔ  Ｐｒｉｎｔｉｎｇ  Ｐｒｏｔｏｃｏｌ）を使用する第１の印刷機能と、ＩＰＰを使用する第２の印刷機能とを有する印刷装置であって、ユーザ指示によって前記第１の印刷機能の設定がＯＦＦからＯＮに変更されたことに連動して、少なくとも前記ＩＰＰの設定をＯＦＦからＯＮに自動的に変更する第１の変更手段と、ユーザ指示によって前記第２の印刷機能の設定がＯＦＦからＯＮに変更されたことに連動して、少なくとも前記ＩＰＰの設定をＯＦＦからＯＮに自動的に変更する第２の変更手段とを備えることを特徴とする。
また、本発明が提供する設定方法は、ＩＰＰ（Ｉｎｔｅｒｎｅｔ  Ｐｒｉｎｔｉｎｇ  Ｐｒｏｔｏｃｏｌ）を使用する第１の印刷機能と、ＩＰＰを使用する第２の印刷機能とを有する印刷装置の設定を変更する設定方法であって、ユーザ指示によって前記第１の印刷機能の設定がＯＦＦからＯＮに変更されたことに連動して、少なくとも前記ＩＰＰの設定をＯＦＦからＯＮに自動的に変更する第１の変更ステップと、ユーザ指示によって前記第２の印刷機能の設定がＯＦＦからＯＮに変更されたことに連動して、少なくとも前記ＩＰＰの設定をＯＦＦからＯＮに自動的に変更する第２の変更ステップとを有することを特徴とする。
【手続補正６】
【補正対象書類名】明細書
【補正対象項目名】０００７
【補正方法】変更
【補正の内容】
【０００７】
本発明によれば、ＩＰＰを使用する印刷機能の設定をユーザがＯＦＦからＯＮに変更したことに連動して、ＩＰＰの設定も自動的にＯＦＦからＯＮに変更されるため、ユーザの利便性が向上する。